(57)【要約】【課題】接着した端部が裏返さないために露出していても、手触りや見栄えを改善することで、裏返し作業を省略することができる泡立てネットの製造方法および泡立てネットを提供する。【解決手段】泡立てネットの製造方法は、円筒形状のネット１の一側Ｓ１を、外側に回して他側Ｓ２に折り返す折返し工程と、折り返したネット１の一側Ｓ１の端部と、他側Ｓ２の端部とを円弧状に切断、溶着して略矩形状の袋体とする接着切断工程とを含む。折返し工程の後に、折り返したネットを更に折り返して、三重ネット部を形成する三重ネット形成工程を備えるのが望ましい。このとき、二重ネットの内側のネットと外側のネットとの間に折り返して三重ネット部を形成すると、三重ネット部の端部が石鹸を収納する手に接触しないので、手触り感を向上させることができる。【選択図】図１
2012081201.tif 000002
【特許請求の範囲】
【請求項１】
円筒形状のネットの一側を、該ネットの内側または外側に回して他側に折り返す折返し工程と、
前記折り返したネットの一側の端部と、他側の端部とを円弧状に切断および接着して略矩形状の袋体とする接着切断工程とを含むことを特徴とする泡立てネットの製造方法。
【請求項２】
前記折返し工程にて二重ネットとした後に、折り返した一側のネットを更に折り返して、二重ネットに三重ネット部を形成する三重ネット形成工程を含み、
前記接着切断工程は、一側のネットを更に折り返すことでできた端部を、前記一側の端部として、前記他側の端部と共に、円弧状に切断および接着する請求項１記載の泡立てネットの製造方法。
【請求項３】
前記三重ネット形成工程は、一側のネットを更に内側に折り返す際に、二重ネットの内側のネットと外側のネットとの間に折り返して三重ネット部を形成する請求項２記載の泡立てネットの製造方法。
【請求項４】
前記接着切断工程は、端辺同士を円弧状に接着・切断する際に、角部にアールを付ける請求項１から３のいずれかの項に記載の泡立てネットの製造方法。
【請求項５】
円筒形状のネットの一側が、該ネットの内側または外側に回されて他側に折り返され、
前記折り返したネットの一側の端部と、他側の端部とが、重ね合わされて円弧状に接着されていることを特徴とする泡立てネット。
【発明の詳細な説明】
【技術分野】
【０００１】
本発明は、固形石鹸を中に入れて擦り合わせることで極め細やかな泡立ちが得られる泡立てネットおよびその製造方法に関するものである。
【背景技術】
【０００２】
固形石鹸を入れ、両手で擦り泡立てることで、弾力性のある極め細やかな泡が得られる泡立てネットが知られている。例えば、特許文献１には、外側の伸縮性を有する袋状の外側ネットと、外側ネットの内側に収められた伸縮性を有する袋状の内側ネットとにより二重に構成された固形石鹸泡立てネットが記載されている。この従来の泡立てネットは、外側ネットと内側ネットの一方の端部は塞がれ、他方の端部は外側ネットと内側ネットとが折り返されて連続している共に、内側ネットに固形石鹸出入口が形成されている。
【先行技術文献】
【特許文献】
【０００３】
【特許文献１】特開２００２−９５６０５号公報
【発明の概要】
【発明が解決しようとする課題】
【０００４】
従来の泡立てネットの製造方法では、筒状ネットを棒に入れて折り返して外側ネットと内側ネットを形成して二重にした後に、外側ネットと内側ネットが連続していない側の端部を溶着して塞ぎ、次に溶着部を内側ネット内に押し込んで全体を裏返して二重の袋状に形成している。従って、端部を溶着したネットを裏返す作業が必要である。これは、ネットを裏返して、溶着した端部を折り込ませて内側に位置させることで、溶着して硬くなった端部に泡立てる手が触れることを防止して手触り感を良好とすると共に、見栄えをよくするためである。
【０００５】
しかし、端部を溶着したネットを裏返す作業は、一個の泡立てネットを製造する場合であれば問題とはならないが、大量の泡立てネットを製造するときには煩雑な作業で時間を要してしまうので、重要な問題である。
泡立てネットを、裏返ししないままの状態としてもよいが、前述したように、手触りが悪く、見栄えも折り返したものと比較して劣る。
【０００６】
そこで本発明は、接着した端部が裏返さないために露出していても、手触りや見栄えを改善することで、裏返し作業を省略することができる泡立てネットの製造方法および泡立てネットを提供することを目的とする。
【課題を解決するための手段】
【０００７】
本発明の泡立てネットの製造方法は、円筒形状のネットの一側を、該ネットの内側または外側に回して他側に折り返す折返し工程と、前記折り返したネットの一側の端部と、他側の端部とを円弧状に切断および接着して略矩形状の袋体とする接着切断工程とを含むことを特徴とする。
【０００８】
また、本発明の泡立てネットは、円筒形状のネットの一側が、該ネットの内側または外側に回されて他側に折り返され、前記折り返したネットの一側の端部と、他側の端部とが、重ね合わされて円弧状に接着されていることを特徴とする。
【０００９】
本発明によれば、折り返した両端部を円弧状に接着することで、石鹸を泡立てる手との接触部分の幅を狭くすることができるので、手触りの悪さを軽減することができる。従って、最終的に接着した部分を内側に位置させる裏返し作業を行わなくてもよい。また、単なる矩形状ではなく、閉塞された一辺が円弧状に形成されていることで、意匠性を向上させることができる。
【００１０】
前記折返し工程にて二重ネットとした後に、折り返した一側のネットを更に折り返して、二重ネットに三重ネット部を形成する三重ネット形成工程を含み、前記接着切断工程は、一側のネットを更に折り返すことでできた端部を、前記一側の端部として、前記他側の端部と共に、円弧状に切断および接着することが望ましい。泡立てネットに三重ネット部を設けることで、擦れる度合いが増すので、泡立ちを更に向上させることできる。
【００１１】
前記三重ネット形成工程は、一側のネットを更に内側に折り返す際に、二重ネットの内側のネットと外側のネットとの間に折り返して三重ネット部を形成するのが望ましい。内側のネットと外側のネットとの間に折り返すことで、更に折り返したネットの端部が内側のネットと外側のネットとの間に位置するため、袋状の泡立てネットに手を入れたときに、ネットの端部に手が触れないため、泡立てを向上させつつ、手触り感を向上させることができる。
【００１２】
前記接着切断工程は、端辺同士を円弧状に接着・切断する際に、角部にアールを付けると、角部に泡立てる手が触れても、ネットの端部が刺してチクチクした感じを回避することができるので、更に手触りの悪さを軽減することができる。
【発明の効果】
【００１３】
本発明は、石鹸を泡立てる手との接触部分の幅を狭くすることができるので、手触りの悪さを軽減するができる。従って、接着した端部が裏返さないために露出していても、手触りや見栄えを改善できるので、裏返し作業を省略することができる。
【図面の簡単な説明】
【００１４】
【図１】（Ａ）〜（Ｃ）は、本発明の実施の形態１に係る泡立てネットの製造方法の各工程を示す図である。
【図２】図１に示す接着切断工程に用いられるヒートシーラーを説明するための図である。
【図３】（Ａ）〜（Ｃ）は、本発明の実施の形態２に係る泡立てネットの製造方法の各工程を示す図である。
【図４】三重ネット部を説明するための概略断面図である。
【図５】本発明の実施の形態３に係る泡立てネットの製造方法を示す図である。
【図６】本発明の実施の形態３に係る泡立てネットの変形例を示す図である。
【発明を実施するための形態】
【００１５】
（実施の形態１）
本発明の実施の形態１に係る泡立てネットの製造方法について、図１および図２に基づいて説明する。本実施の形態１に係る泡立てネットは、固形石鹸を入れて手で擦ることで泡立てるものである。
まず、図１（Ａ）に示すように、円筒形状のネット１を準備する。このネット１は直径が約９ｃｍから１０ｃｍ程度のもので、樹脂により形成されている。
次に、ネット１の一側Ｓ１を他側Ｓ２に折り返す。このとき、一側Ｓ１のネット１を内側に回したり、外側に回したりして折り返すことができるが、外側に回した方が一側Ｓ１の送りが容易で、一側Ｓ１と他側Ｓ２との位置合わせが容易なので、本実施の形態では外側に折り返して、図１（Ｂ）に示すように二重ネットＮ０とする（折返し工程）。
【００１６】
そして、折り返した二重ネットＮ０とした一側Ｓ１の端部と、他側Ｓ２の端部とを円弧状に切断、接着して略矩形状の袋体とすることで、図１（Ｃ）に示すような本実施の形態１に係る泡立てネットＮ１を製造することができる（接着切断工程）。この端部同士を円弧状とする接着切断工程は、例えば、ヒートシーラーにより行うことができる。
【００１７】
図２に示すヒートシーラー１０は、円弧状に形成された線状のヒーター１１の上に、二重ネットＮ０の端部Ｔ１を載置し、上下を挟み込むことで、溶着すると共に、同時に端部Ｔ１を溶断するものである。そうすることで、二重ネットＮ０の端部Ｔ１を、狭い接着幅で接着することができるので、見栄えのよい端部Ｔ１とすることができる。なお、ヒートシーラー１０は、溶着しつつ溶断するものであるが、溶着と溶断を２台の装置で行うようにしてもよい。また、溶着する以外に、接着剤を用いて接着した後に、切断するようにしてもよい。
【００１８】
このように形成された泡立てネットＮ１は、折り返した一側Ｓ１の端部と他側Ｓ２の端部を円弧状に溶着、切断することで、円弧状の端部と石鹸を泡立てる手との接触部分の幅が、端部が直線状となったものより狭くなるので、手触りの悪さを軽減することができる。従って、この接着切断工程にて溶着、切断されて形成された泡立てネットＮ１は、接着した部分を内側に位置させる裏返し作業を行わなくてもよく、製品としてすぐ出荷することができる。
また、泡立てネットＮ１は、単なる矩形状ではなく、閉塞された一辺が円弧状に形成されていることで、意匠性が向上するので、見栄えがよい。
【００１９】
（実施の形態２）
本発明の実施の形態２に係る泡立てネットの製造方法について、図３および図４に基づいて説明する。本実施の形態２では、三重ネット部を設けることを特徴としたものである。
まず、円筒形状のネット１を準備する（図１（Ａ）参照）。
次に、図３（Ａ）に示すように、円筒形状のネット１の一側Ｓ１を他側Ｓ２に折り返す（折返し工程）。このとき、一側Ｓ１を他側Ｓ２より大きくはみ出すように折り返す。本実施の形態２では、二重ネット部２の長さＬ１の半分の長さＬ２を折り返すネットとしているが、長さＬ１と長さＬ２とを同じ長さとしたり、長さＬ２を長さＬ１の半分以下としたりすることができる。
【００２０】
次に、ネット１の一側Ｓ１を更に折り返して、二重ネット部２の一部を三重ネット部３とする（三重ネット形成工程）。このとき、更に内側に折り返す際に、二重ネット部２とした内側のネットと外側のネットとの間に折り返す（図３（Ａ）においては、折返し方向を点線で示す。）。
【００２１】
そして、図３（Ｂ）に示すように、更に折り返すことでできた端部Ｔ２を、一側の端部として、この端部Ｔ２と、他側Ｓ２の端部Ｔ３とを、図３（Ｃ）に示すように、円弧状に切断、溶着して泡立てネットＮ２とする。
図４に示すように、三重ネット部３を形成することで、泡立ちを更に向上させることができる。また、三重ネット部３を形成する際に、更に折り返したネットの先端部Ｔ４を、二重ネットの内側のネット２１と外側のネット２２との間に位置させることにより、袋状の泡立てネットＮ２に開口５から手を入れたときに、ネットの先端部Ｔ４に手が触れないため、泡立てを向上させつつ、手触り感を向上させることができる。
【００２２】
（実施の形態３）
本発明の実施の形態３に係る泡立てネットの製造方法について、図面に基づいて説明する。本実施の形態３では、実施の形態２に係る泡立てネットＮ２の角部にアールを付けることを特徴とするものである。
図５に示すように、泡立てネットＮ３は、溶着した端辺６を円弧状とするだけでなく、角部７に端辺６より曲率が大きいアール８を付けている。この角部７のアール８は、端辺６を円弧状とする際の溶着装置のヒーターの刃形状を溶断形状に合わせることで形成することができる。
【００２３】
このように、泡立てネットＮ３を形成することで、角張った部分が無くなるので、ネットの端部が刺してチクチクした感じを回避することができる。従って、更に手触りの悪さを軽減することができる。
【００２４】
なお、本実施の形態３では、円弧状の端辺６と角部７のアールとは異なる曲率としているが、図６に示すように、泡立てネットＮ４の端部を、幅Ｗを半径とした円弧状に形成して、円弧状の端辺６と角部７のアール８とが連続した円弧辺とすることができる。このように泡立てネットＮ４を形成しても、角張った部分を無くすことができる。
この泡立てネットＮ４においても、ヒートシーラーのヒーター形状の溶着・溶断部分を半円形とすることで可能である。
また、実施の形態３では、実施の形態２に係る三重ネット部３を設けた泡立てネットＮ２を用いて角部７にアール８を設け泡立てネットＮ２としていたが、実施の形態１に係る泡立てネットＮ１に本発明を適用してもよい。
【産業上の利用可能性】
【００２５】
本発明は、固形石鹸を入れたり、液体石鹸を付けたりして、細かな弾力性のある泡を立てる泡立てネットに好適である。
【符号の説明】
【００２６】
Ｎ０  二重ネット
Ｎ１〜Ｎ４  泡立てネット
１  ネット
２  二重ネット部
２１  内側のネット
２２  外側のネット
３  三重ネット部
５  開口
６  端辺
７  角部
８  アール
Ｓ１  一側
Ｓ２  他側
Ｔ１〜Ｔ３  端部
Ｔ４  先端部
【図１】
2012081201.tif 000003
【図２】
2012081201.tif 000004
【図３】
2012081201.tif 000005
【図４】
2012081201.tif 000006
【図５】
2012081201.tif 000007
【図６】
2012081201.tif 000008